(57)【要約】      （修正有）【課題】自動車の前端部や後端部に装着されるナンバープレートを利用して、簡便な手段により効率よく広告を行えるようにした自動車用広告装置を提供する。【解決手段】自動車のナンバープレート１に支持される本体２から張り出した広告用張り出し部材５ａ，５ｂに、透明材からなる広告板保持部Ａ，Ｂが設けられており、その上部（または側方）のスリット状開口部６ａ，６ｂを通じて、広告を表示した広告板が挿入され保持される。本体２は、ナンバープレート１の取付ねじ３ｂにより、ナンバープレート１と一体に車体４へ取り付けられる。【選択図】図１
0003111000.tif 000002
【実用新案登録請求の範囲】
【請求項１】
自動車の端部に装着されたナンバープレートに支持される本体と、同本体から張り出した広告用張り出し部材とを備えていることを特徴とする、自動車用広告装置。
【請求項２】
上記本体が、上記ナンバープレートの車体への取付ねじにより同ナンバープレートと一体に固定されていることを特徴とする、請求項１に記載の自動車用広告装置。
【請求項３】
上記広告用張り出し部材に、広告板を着脱可能に保持しうる広告板保持部が設けられていることを特徴とする、請求項１または２に記載の自動車用広告装置。
【考案の詳細な説明】
【技術分野】
【０００１】
本考案は、自動車のナンバープレートを利用して広告を行えるようにした自動車用広告装置に関する。
【背景技術】
【０００２】
自動車の車体は、移動する広告手段として古くから利用されており、車体の側面などに広告の表示が行われている。
しかしながら、車体に直接塗料を施して広告を行う手段では、広告の表示が大掛かりなものとなり、広告の内容を変えるごとに塗装作業が必要となって、コストの増大を招くという不具合がある。
そこで、車体の側面に広告板を装着することも考えられるが、このような手段では車体の幅を増加させるという問題点がある。
また、車体の側面に表示された広告は、後続車からは見えにくいという問題点もある。    
【特許文献１】実開平６−７４４９４号公報
【考案の開示】
【考案が解決しようとする課題】
【０００３】
本考案は、自動車の前端部や後端部に装着されるナンバープレートを利用して、簡便な手段により効率よく広告を行えるようにした自動車用広告装置を提供することを課題とする。
【課題を解決するための手段】
【０００４】
前述の課題を解決するため、本考案の自動車用広告装置は、自動車の端部に装着されたナンバープレートに支持される本体と、同本体から張り出した広告用張り出し部材とを備えていることを特徴としている。
【０００５】
また、本考案の自動車用広告装置は、上記本体が、上記ナンバープレートの車体への取付ねじにより同ナンバープレートと一体に固定されていることを特徴としている。
【０００６】
さらに、本考案の自動車用広告装置は、上記広告用張り出し部材に、広告板を着脱可能に保持しうる広告板保持部が設けられていることを特徴としている。
【考案の効果】
【０００７】
上述の本考案の自動車用広告装置では、自動車の端部におけるナンバープレートを利用して支持された本体から側方や上方などへ張り出すように広告用張り出し部材が設けられるので、同張り出し部材に表示された広告の後続車などからの視認性が著しく高められるとともに、広告内容の変更も、車体の塗装の塗り替えを必要とせずに簡便に行えるようになる。
【０００８】
また、上記本体が上記ナンバープレートの車体への取付ねじにより同ナンバープレートと一体に固定される場合は、広告内容の変更に際して、上記本体を予め用意しておいた別の本体と交換するだけで容易に且つ迅速に作業を行うことができ、タクシーなどの営業に支障を来たすことは無い。
【０００９】
さらに、上記広告用張り出し部材に、広告板を着脱可能に保持しうる広告板保持部が設けられていると、上記本体は車体に取り付けたまま、上記広告板を取り替えるだけで、極めて簡便に広告内容の変更作業を行えるようになる。
【考案を実施するための最良の形態】
【００１０】
自動車の後部のナンバープレートに本考案の装置を設ける場合は、夜間に後続車の前照灯で照射される場合の視認性を高めるために、広告用張り出し部材における広告の表示は、蛍光塗料等を用いることが望ましい。
また自動車の前部のナンバープレートに本考案の装置を設ける場合は、先行車両のドライバーがバックミラーにより広告の内容を視認する場合が多いので、広告の文字については左右逆向きに表示することが望ましい。
【実施例】
【００１１】
図１は本考案の一実施例としての自動車用広告装置を装着した自動車の後部を示す斜視図、図２は図１のＣ−Ｃ矢視拡大断面図である。
図１に示すように、自動車の端部（本実施例では後部）のナンバープレート１の縁部に支持される本体２が、その上縁の左右からそれぞれ下方へ突出した突出部２ａ，２ｂの貫通孔を、ナンバープレート１の封止ボルト３ａおよび取付ボルト３ｂに係合させるようにして設けられている。
そして、特に取付ボルト３ｂは、本体２をナンバープレート１と共に車体４へ締め付け固定している。
【００１２】
なお、本実施例では、本体２にナンバープレート１の両側縁へ係合しうる溝部２ｃ，２ｄが形成されていて、その係合操作の際には、図２の左右部分に矢印で示すように本体２を弾性的に撓曲させて、その取付け作業を容易に行うことができる。
【００１３】
また、本体２から左右両側方へ張り出した広告用張り出し部材５ａ，５ｂには、上方（または側方）から図示しない広告板を挿入しうるスリット状開口部６ａ，６ｂが形成されており、このようにして、図示しない広告板を着脱可能に保持しうる広告板保持部Ａ，Ｂが構成されている。
【００１４】
なお、本実施例では広告用張り出し部材５ａ，５ｂが透明材で形成されているが、同張り出し部材５ａ，５ｂは、不透明材で形成されてもよく、その場合は額縁状に構成される。
さらに、広告用張り出し部材５ａ，５ｂは、液晶表示部のごとき電気的表示部を備えるようにしてもよい。
【００１５】
このようにして設けられる広告用張り出し部材５ａ，５ｂは、それぞれの側方への外端部を磁石または吸盤式取付具などの着脱式固定手段７ａ，７ｂにより、車体へ着脱可能に固定される。
【００１６】
上述の実施例では、広告用張り出し部材５ａ，５ｂに、広告板を保持しうる広告板保持部Ａ，Ｂが設けられているが、広告用張り出し部材５ａ，５ｂに直接広告を施すようにしてもよい。
なお、図１において符号８は尾灯を示している。
【００１７】
上述の本実施例の自動車用広告装置では、自動車の端部におけるナンバープレート１を利用して支持された本体２から外方へ張り出すように広告用張り出し部材５ａ，５ｂが設けられるので、同張り出し部材５ａ，５ｂに表示された広告の後続車（特に信号待ちの後続車）からの視認性が著しく高められるとともに、広告内容の変更も、車体の塗装の塗り替えを必要とせずに簡便に行えるようになる。
【００１８】
また、本体２がナンバープレート１の車体への取付ねじ３ｂにより同ナンバープレト１と一体に固定される場合は、広告内容の変更に際して、本体２を予め用意しておいた別の本体と交換するだけで容易に且つ迅速に作業を行うことができ、タクシーなどの営業に支障を来すことは無い。
【００１９】
さらに、広告用張り出し部材５ａ，５ｂに、広告板を着脱可能に保持しうる広告板保持部Ａ，Ｂが設けられていると、本体２は車体に取り付けたまま、広告板を取り替えるだけで、極めて簡便に広告内容の変更作業を行えるようになる。
【産業上の利用可能性】
【００２０】
本考案の装置をタクシーなどの営業車に装備した場合には、その広告用張り出し部材を、車内に異変が生じた際の救難信号表示手段として利用することも可能であり、その場合は運転席でのスイッチ操作により広告表示部に発光ダイオードの点滅などによるＳＯＳ表示が行われる。
【図面の簡単な説明】
【００２１】
【図１】本考案の一実施例としての自動車用広告装置の車体への装着状態を示す斜視図である。
【図２】図１のＣ−Ｃ矢視拡大断面図である。
【符号の説明】
【００２２】
１  ナンバープレート
２  本体
２ａ，２ｂ  突出部
２ｃ，２ｄ  溝部
３ａ  封止ボルト
３ｂ  取付ボルト
４  車体
５ａ，５ｂ  張り出し部材
６ａ，６ｂ  スリット状開口部
７ａ，７ｂ  着脱式固定手段
８  尾灯
Ａ，Ｂ  広告板保持部
【図１】
0003111000.tif 000003
【図２】
0003111000.tif 000004